(57)【特許請求の範囲】
【請求項１】
光ファイバ心線と、前記光ファイバ心線の外周に配置される抗張力体と、前記抗張力体を被覆する被覆部と、を具備する光コードを用い、
前記光ファイバ心線が固定された心線保持部材を、抗張力体固定部を有するハウジングに固定し、
仮固定部材を用いて、前記抗張力体を前記抗張力体固定部に仮固定し、
本固定部材によって、仮固定された前記抗張力体を、前記仮固定部材よりも強固に前記抗張力体固定部に固定することで、前記抗張力体を前記ハウジングに固定する光コードの端末処理方法であって、
前記抗張力体固定部は、前記光ファイバ心線の外周に形成され、径方向に弾性変形可能なラッチと、前記ラッチの内周面側に設けられる雌ねじ部と、を有し、
前記仮固定部材は、固定リングであり、前記ラッチの外周側に前記抗張力体を配置した状態で、前記固定リングを前記ラッチに嵌めることで、前記固定リングと前記ラッチとの間に前記抗張力体を挟みこんで仮固定し、
前記本固定部材はねじ部材であり、前記ラッチの内周側に前記ねじ部材をねじ込むことで、前記ラッチを外方に押し開き、前記抗張力体を前記固定リングと前記ラッチとの間で固定することを特徴とする光コードの端末処理方法。
【請求項２】
前記ねじ部材の内部には、前記光ファイバ心線が貫通する孔が形成され、前記孔は、軸方向の断面において、前記ハウジング側から徐々に径が大きくなるように、所定の曲率で形成されることを特徴とする請求項１記載の光コードの端末処理方法。
【請求項３】
光ファイバ心線と、前記光ファイバ心線の外周に配置される抗張力体と、前記抗張力体を被覆する被覆部と、を具備する光コードを用い、
前記光ファイバ心線が固定された心線保持部材を、抗張力体固定部を有するハウジングに固定し、
仮固定部材を用いて、前記抗張力体を前記抗張力体固定部に仮固定し、
本固定部材によって、仮固定された前記抗張力体を、前記仮固定部材よりも強固に前記抗張力体固定部に固定することで、前記抗張力体を前記ハウジングに固定する光コードの端末処理方法であって、
前記抗張力体固定部は、前記ハウジングの外面の少なくとも一部に形成された雄ねじ部を有し、
前記仮固定部材は、ナットであり、前記雄ねじ部の外周側に前記抗張力体を配置した状態で、前記ナットを前記雄ねじ部に螺合することで、前記ナットと前記雄ねじ部との間に前記抗張力体を挟みこんで仮固定し、
前記本固定部材はかしめ部材であり、前記雄ねじ部の端部側に前記かしめ部材を嵌め、前記かしめ部材をかしめ、前記抗張力体を前記かしめ部材と前記雄ねじ部との間で固定することを特徴とする光コードの端末処理方法。
【請求項４】
断面において、前記雄ねじ部の軸方向断面におけるねじ山形状は、前記抗張力体を仮固定した状態で、前記抗張力体が抜けにくいように、先端の凸形状が前記ハウジング側に向かって形成されることを特徴とする請求項３記載の光コードの端末処理方法。
【請求項５】
光ファイバ心線と、前記光ファイバ心線の外周に配置される抗張力体と、前記抗張力体を被覆する被覆部と、を具備する光コードを用い、
前記光ファイバ心線が固定された心線保持部材を、抗張力体固定部を有するハウジングに固定し、
仮固定部材を用いて、前記抗張力体を前記抗張力体固定部に仮固定し、
本固定部材によって、仮固定された前記抗張力体を、前記仮固定部材よりも強固に前記抗張力体固定部に固定することで、前記抗張力体を前記ハウジングに固定することを特徴とする光コードの端末処理方法であって、
前記抗張力体固定部は、前記ハウジングの外面の少なくとも一部に形成された雄ねじ部を有し、
前記仮固定部材は、一方の側に舌部を有する樹脂ナットであり、前記雄ねじ部の外周側に前記抗張力体を配置した状態で、前記樹脂ナットを前記雄ねじ部に螺合することで、前記樹脂ナットと前記雄ねじ部との間に前記抗張力体を挟みこんで仮固定し、
前記本固定部材はナットであり、前記雄ねじ部の端部側において、前記舌部の外周から前記ナットを螺合し、前記抗張力体を前記ナットおよび前記舌部と前記雄ねじ部との間で固定することを特徴とする光コードの端末処理方法。
【請求項６】
光ファイバ心線と、前記光ファイバ心線の外周に配置される抗張力体と、前記抗張力体を被覆する被覆部と、を具備する光コードを用い、
前記光ファイバ心線が固定された心線保持部材を、抗張力体固定部を有するハウジングに固定し、
仮固定部材を用いて、前記抗張力体を前記抗張力体固定部に仮固定し、
本固定部材によって、仮固定された前記抗張力体を、前記仮固定部材よりも強固に前記抗張力体固定部に固定することで、前記抗張力体を前記ハウジングに固定することを特徴とする光コードの端末処理方法であって、
前記抗張力体固定部は、前記ハウジングの外面の少なくとも一部に形成された雄ねじ部を有し、
前記仮固定部材は、外径がテーパ状に変化する樹脂リングであり、前記雄ねじ部の外周側に前記抗張力体を配置した状態で、前記樹脂リングを前記雄ねじ部に嵌めることで、前記樹脂リングと前記雄ねじ部との間に前記抗張力体を挟みこんで仮固定し、
前記本固定部材はナットであり、前記雄ねじ部の端部側において、前記樹脂リングの小径側の外周面から前記ナットを螺合し、前記抗張力体を前記ナットおよび前記樹脂リングと前記雄ねじ部との間で固定することを特徴とする光コードの端末処理方法。
【請求項７】
前記雄ねじ部の一部には、周方向断面において一部が切りかかれた切欠き部が形成され、前記切欠き部の外面は、粗面化処理が施され、前記抗張力体を、前記切欠き部に配置した状態で、外周から前記本固定部材で前記抗張力体を固定することを特徴とする請求項３から請求項６のいずれかに記載の光コードの端末処理方法。
【請求項８】
光コードの端末構造であって、
光ファイバ心線と、前記光ファイバ心線の外周に配置される抗張力体と、前記抗張力体を被覆する被覆部と、を具備する光コードを用い、
前記光ファイバ心線が固定された心線保持部材が、抗張力体固定部を有するハウジングに固定され、
前記抗張力体固定部は、断面において、前記光ファイバ心線の外周に形成され、径方向に弾性変形可能なラッチと、前記ラッチの内周面側に設けられる雌ねじ部と、を有し、
前記ラッチの外周側に前記抗張力体を配置した状態で、固定リングが前記ラッチに嵌められ、前記固定リングと前記ラッチとの間で前記抗張力体が挟みこまれて仮固定されており、
前記ラッチの内周側にねじ部材がねじ込まれて、前記ラッチが外方に押し開かれることで、前記抗張力体が前記固定リングと前記ラッチとの間で固定されることを特徴とする光コードの端末構造。
【請求項９】
光コードの端末構造であって、
光ファイバ心線と、前記光ファイバ心線の外周に配置される抗張力体と、前記抗張力体を被覆する被覆部と、を具備する光コードを用い、
前記光ファイバ心線が固定された心線保持部材が、抗張力体固定部を有するハウジングに固定され、
前記抗張力体固定部は、前記ハウジングの外面の少なくとも一部に形成された雄ねじ部を有し、
前記雄ねじ部の外周側に前記抗張力体を配置した状態で、ナットが前記雄ねじ部に螺合し、前記ナットと前記雄ねじ部との間に前記抗張力体が挟み込まれて仮固定され、
前記雄ねじ部の端部側にかしめ部材が嵌められて、前記かしめ部材がかしめられることで、前記抗張力体が前記かしめ部材と前記雄ねじ部との間で固定されることを特徴とする光コードの端末構造。
【請求項１０】
光コードの端末構造であって、
光ファイバ心線と、前記光ファイバ心線の外周に配置される抗張力体と、前記抗張力体を被覆する被覆部と、を具備する光コードを用い、
前記光ファイバ心線が固定された心線保持部材が、抗張力体固定部を有するハウジングに固定され、
前記抗張力体固定部は、前記ハウジングの外面の少なくとも一部に形成された雄ねじ部を有し、
一方の側に舌部を有する樹脂ナットが、前記雄ねじ部の外周側に前記抗張力体を配置した状態で、前記雄ねじ部に螺合することで、前記樹脂ナットと前記雄ねじ部との間で前記抗張力体が挟み込まれて仮固定され、
前記雄ねじ部の端部側において、前記舌部の外周からナットが螺合され、前記抗張力体が前記ナットおよび前記舌部と前記雄ねじ部との間で固定されることを特徴とする光コードの端末構造。
【請求項１１】
光コードの端末構造であって、
光ファイバ心線と、前記光ファイバ心線の外周に配置される抗張力体と、前記抗張力体を被覆する被覆部と、を具備する光コードを用い、
前記光ファイバ心線が固定された心線保持部材が、抗張力体固定部を有するハウジングに固定され、
前記抗張力体固定部は、前記ハウジングの外面の少なくとも一部に形成された雄ねじ部を有し、
外径がテーパ状に変化する樹脂リングが、前記雄ねじ部の外周側に前記抗張力体を配置した状態で、前記雄ねじ部に嵌められて、前記樹脂リングと前記雄ねじ部との間に前記抗張力体が挟み込まれて仮固定され、
前記雄ねじ部の端部側において、前記樹脂リングの外周からナットを螺合し、前記抗張力体が前記ナットおよび前記樹脂リングと前記雄ねじ部との間で固定されることを特徴とする光コードの端末構造。
【発明の詳細な説明】
【技術分野】
【０００１】
本発明は、抗張力体を有する光コードに対して、抗張力体を引き留めることが可能な光コードの端末処理方法および端末構造に関するものである。
【背景技術】
【０００２】
光ファイバ心線の外周に、高張力繊維等の抗張力体が設けられた光ケーブルが用いられている。このような、光ケーブルの先端に光コネクタ等を接続する場合には、抗張力体を引き留めるための構造が必要となる。
【０００３】
このような、抗張力体の引き留め構造としては、例えば、かしめ部材によって抗張力体をストップリングにかしめて固定する方法がある（特許文献１）。また、光コネクタのハウジングに対して、ねじ部を形成し、ナットとねじ部との間に抗張力体を挟み込んだ状態で、ナットを締め込むことで、抗張力体を引き留める方法がある（特許文献２）。
【先行技術文献】
【特許文献】
【０００４】
【特許文献１】特開平１０−２０６６８７号公報
【特許文献２】特開２００９−１０９９７８号公報
【発明の概要】
【発明が解決しようとする課題】
【０００５】
しかし、特許文献１のように、かしめ部材を用いた方法は、かしめ部材を専用工具で挟み込む作業時に、抗張力体がかしめ部材から抜け落ちてしまったり、抗張力体が後退してずれてしまうなどの恐れがある。
【０００６】
また、特許文献２に記載された方法では、ナットとねじ部との締め付けがきつい場合において、抗張力体がねじ部に擦られて、抗張力体を擦り切ってしまう恐れがある。また、ナットとねじ部が緩いと、ナットの締めつけ時や、コネクタの使用時に、容易に抗張力体が位置ずれし、十分に抗張力体を引き留めることが困難である。
【０００７】
本発明は、このような問題に鑑みてなされたもので、固定作業時に、抗張力体の位置ずれを防止し、抗張力体の破断等を抑制可能な光コードの端末処理方法および光コードの端末構造を提供することを目的とする。
【課題を解決するための手段】
【０００８】
前述した目的を達するために第１の発明は、光ファイバ心線と、前記光ファイバ心線の外周に配置される抗張力体と、前記抗張力体を被覆する被覆部と、を具備する光コードを用い、前記光ファイバ心線が固定された心線保持部材を、抗張力体固定部を有するハウジングに固定し、仮固定部材を用いて、前記抗張力体を前記抗張力体固定部に仮固定し、本固定部材によって、仮固定された前記抗張力体を、前記仮固定部材よりも強固に前記抗張力体固定部に固定することで、前記抗張力体を前記ハウジングに固定する光コードの端末処理方法であって、前記抗張力体固定部は、前記光ファイバ心線の外周に形成され、径方向に弾性変形可能なラッチと、前記ラッチの内周面側に設けられる雌ねじ部と、を有し、前記仮固定部材は、固定リングであり、前記ラッチの外周側に前記抗張力体を配置した状態で、前記固定リングを前記ラッチに嵌めることで、前記固定リングと前記ラッチとの間に前記抗張力体を挟みこんで仮固定し、前記本固定部材はねじ部材であり、前記ラッチの内周側に前記ねじ部材をねじ込むことで、前記ラッチを外方に押し開き、前記抗張力体を前記固定リングと前記ラッチとの間で固定することを特徴とする光コードの端末処理方法である。
【００１０】
前記ねじ部材の内部には、前記光ファイバ心線が貫通する孔が形成され、前記孔は、軸方向の断面において、前記ハウジング側から徐々に径が大きくなるように、所定の曲率で形成されてもよい。
【００１１】
第２の発明は、光ファイバ心線と、前記光ファイバ心線の外周に配置される抗張力体と、前記抗張力体を被覆する被覆部と、を具備する光コードを用い、前記光ファイバ心線が固定された心線保持部材を、抗張力体固定部を有するハウジングに固定し、仮固定部材を用いて、前記抗張力体を前記抗張力体固定部に仮固定し、本固定部材によって、仮固定された前記抗張力体を、前記仮固定部材よりも強固に前記抗張力体固定部に固定することで、前記抗張力体を前記ハウジングに固定する光コードの端末処理方法であって、前記抗張力体固定部は、前記ハウジングの外面の少なくとも一部に形成された雄ねじ部を有し、前記仮固定部材は、ナットであり、前記雄ねじ部の外周側に前記抗張力体を配置した状態で、前記ナットを前記雄ねじ部に螺合することで、前記ナットと前記雄ねじ部との間に前記抗張力体を挟みこんで仮固定し、前記本固定部材はかしめ部材であり、前記雄ねじ部の端部側に前記かしめ部材を嵌め、前記かしめ部材をかしめ、前記抗張力体を前記かしめ部材と前記雄ねじ部との間で固定することを特徴とする光コードの端末処理方法である。
【００１２】
断面において、前記雄ねじ部の軸方向断面におけるねじ山形状は、前記抗張力体を仮固定した状態で、前記抗張力体が抜けにくいように、先端の凸形状が前記ハウジング側に向かって形成されてもよい。
【００１３】
第３の発明は、光ファイバ心線と、前記光ファイバ心線の外周に配置される抗張力体と、前記抗張力体を被覆する被覆部と、を具備する光コードを用い、前記光ファイバ心線が固定された心線保持部材を、抗張力体固定部を有するハウジングに固定し、仮固定部材を用いて、前記抗張力体を前記抗張力体固定部に仮固定し、本固定部材によって、仮固定された前記抗張力体を、前記仮固定部材よりも強固に前記抗張力体固定部に固定することで、前記抗張力体を前記ハウジングに固定することを特徴とする光コードの端末処理方法であって、前記抗張力体固定部は、前記ハウジングの外面の少なくとも一部に形成された雄ねじ部を有し、前記仮固定部材は、一方の側に舌部を有する樹脂ナットであり、前記雄ねじ部の外周側に前記抗張力体を配置した状態で、前記樹脂ナットを前記雄ねじ部に螺合することで、前記樹脂ナットと前記雄ねじ部との間に前記抗張力体を挟みこんで仮固定し、前記本固定部材はナットであり、前記雄ねじ部の端部側において、前記舌部の外周から前記ナットを螺合し、前記抗張力体を前記ナットおよび前記舌部と前記雄ねじ部との間で固定することを特徴とする光コードの端末処理方法である。
【００１４】
第４の発明は、光ファイバ心線と、前記光ファイバ心線の外周に配置される抗張力体と、前記抗張力体を被覆する被覆部と、を具備する光コードを用い、前記光ファイバ心線が固定された心線保持部材を、抗張力体固定部を有するハウジングに固定し、仮固定部材を用いて、前記抗張力体を前記抗張力体固定部に仮固定し、本固定部材によって、仮固定された前記抗張力体を、前記仮固定部材よりも強固に前記抗張力体固定部に固定することで、前記抗張力体を前記ハウジングに固定することを特徴とする光コードの端末処理方法であって、前記抗張力体固定部は、前記ハウジングの外面の少なくとも一部に形成された雄ねじ部を有し、前記仮固定部材は、外径がテーパ状に変化する樹脂リングであり、前記雄ねじ部の外周側に前記抗張力体を配置した状態で、前記樹脂リングを前記雄ねじ部に嵌めることで、前記樹脂リングと前記雄ねじ部との間に前記抗張力体を挟みこんで仮固定し、前記本固定部材はナットであり、前記雄ねじ部の端部側において、前記樹脂リングの小径側の外周面から前記ナットを螺合し、前記抗張力体を前記ナットおよび前記樹脂リングと前記雄ねじ部との間で固定することを特徴とする光コードの端末処理方法である。
【００１５】
第２から第４の発明において、前記雄ねじ部の一部には、周方向断面において一部が切りかかれた切欠き部が形成され、前記切欠き部の外面は、粗面化処理が施され、前記抗張力体を、前記切欠き部に配置した状態で、外周から前記本固定部材で前記抗張力体を固定してもよい。
【００１６】
第１の発明によれば、まず、仮固定部材によって抗張力体を緩く仮固定し、その後、本固定部材によって、完全に抗張力体を固定するため、本固定時に、抗張力体のずれ等を抑制することができる。
【００１７】
特に、仮固定部材が、固定リングであり、固定リングをラッチに固定することで、抗張力体を仮止めし、その後、ラッチの内面に形成された雌ネジ部に、ねじ部材をねじ込むことで、抗張力体を完全に固定すれば、抗張力体をねじによって擦り切ることが無い。
【００１８】
また、この場合において、ねじ部材の孔の形状を、ハウジング側から徐々に内径が大きくなるように所定の曲率で形成することで、光ファイバ心線に曲げ力が付与された際に、ねじ部材において光ファイバ心線に局所的な曲がりが生じることを防止することができる。
【００１９】
第２の発明において、雄ねじ部に対して、相対的に緩いナットを用いて、抗張力体をねじ部とナットとの間に挟み込んで仮固定し、かしめ部材によって本固定を行うことで、かしめ部材を専用工具等によってかしめる作業の際、抗張力体の位置がずれることがない。
【００２０】
この際、雄ねじ部のねじ山形状を、抗張力体の抜け方向に対して反対方向に向けて形成することで、抗張力体の位置ずれをより確実に抑制することができる。
【００２１】
第３の発明によれば、舌部を有する樹脂ナットを用いて、抗張力体をねじ部と樹脂ナットとの間に挟み込んで仮固定し、舌部の外周側からさらにナットで固定することで、舌部と雄ねじ部との間で、確実に抗張力体を引き留めることができる。この際、舌部が変形することで、抗張力体を過剰に締めつけることがない。
【００２２】
第４の発明によれば、厚みがテーパ状に変化する樹脂リングを用いて、抗張力体をねじ部と樹脂リングとの間に挟み込んで仮固定し、樹脂リングの薄肉部側であって、樹脂リングの外周側からさらにナットで固定することで、樹脂リングと雄ねじ部との間で、確実に抗張力体を引き留めることができる。この際、樹脂リングが変形することで、抗張力体を過剰に締めつけることがない。
【００２３】
第２から第４の発明において、雄ねじ部の外周に、切欠き部を形成し、切欠き部に抗張力体を配置した状態で、本固定を行うことで、抗張力体がねじ部において擦り切れることを防止することができる。
【００２４】
第５の発明は、光コードの端末構造であって、光ファイバ心線と、前記光ファイバ心線の外周に配置される抗張力体と、前記抗張力体を被覆する被覆部と、を具備する光コードを用い、前記光ファイバ心線が固定された心線保持部材が、抗張力体固定部を有するハウジングに挿入され、前記抗張力体固定部は、断面において、前記光ファイバ心線の外周に形成され、径方向に弾性変形可能なラッチと、前記ラッチの内周面側に設けられる雌ねじ部と、を有し、前記ラッチの外周側に前記抗張力体を配置した状態で、固定リングが前記ラッチに嵌められ、前記固定リングと前記ラッチとの間で前記抗張力体が挟みこまれて仮固定されており、前記ラッチの内周側にねじ部材がねじ込まれて、前記ラッチが外方に押し開かれることで、前記抗張力体が前記固定リングと前記ラッチとの間で固定されることを特徴とする光コードの端末構造である。
【００２５】
第６の発明は、光コードの端末構造であって、光ファイバ心線と、前記光ファイバ心線の外周に配置される抗張力体と、前記抗張力体を被覆する被覆部と、を具備する光コードを用い、前記光ファイバ心線が固定された心線保持部材が、抗張力体固定部を有するハウジングに挿入され、前記抗張力体固定部は、前記ハウジングの外面の少なくとも一部に形成された雄ねじ部を有し、前記雄ねじ部の外周側に前記抗張力体を配置した状態で、ナットが前記雄ねじ部に螺合し、前記ナットと前記雄ねじ部との間に前記抗張力体が挟み込まれて仮固定され、前記雄ねじ部の端部側にかしめ部材が嵌められて、前記かしめ部材がかしめられることで、前記抗張力体が前記かしめ部材と前記雄ねじ部との間で固定されることを特徴とする光コードの端末構造である。
【００２６】
第７の発明は、光コードの端末構造であって、光ファイバ心線と、前記光ファイバ心線の外周に配置される抗張力体と、前記抗張力体を被覆する被覆部と、を具備する光コードを用い、前記光ファイバ心線が固定された心線保持部材が、抗張力体固定部を有するハウジングに挿入され、前記抗張力体固定部は、前記ハウジングの外面の少なくとも一部に形成された雄ねじ部を有し、一方の側に舌部を有する樹脂ナットが、前記雄ねじ部の外周側に前記抗張力体を配置した状態で、前記雄ねじ部に螺合することで、前記樹脂ナットと前記雄ねじ部との間で前記抗張力体が挟み込まれて仮固定され、前記雄ねじ部の端部側において、前記舌部の外周からナットが螺合され、前記抗張力体が前記ナットおよび前記舌部と前記雄ねじ部との間で固定されることを特徴とする光コードの端末構造である。
【００２７】
第８の発明は、光コードの端末構造であって、光ファイバ心線と、前記光ファイバ心線の外周に配置される抗張力体と、前記抗張力体を被覆する被覆部と、を具備する光コードを用い、前記光ファイバ心線が固定された心線保持部材が、抗張力体固定部を有するハウジングに挿入され、前記抗張力体固定部は、前記ハウジングの外面の少なくとも一部に形成された雄ねじ部を有し、外径がテーパ状に変化する樹脂リングが、前記雄ねじ部の外周側に前記抗張力体を配置した状態で、前記雄ねじ部に嵌められて、前記樹脂リングと前記雄ねじ部との間に前記抗張力体が挟み込まれて仮固定され、前記雄ねじ部の端部側において、前記樹脂リングの外周からナットを螺合し、前記抗張力体が前記ナットおよび前記樹脂リングと前記雄ねじ部との間で固定されることを特徴とする光コードの端末構造である。
【００２８】
第５から第８の発明によれば、作業性に優れ、仮固定によって抗張力体のずれを防止しつつ、本固定部材によって、確実に抗張力体を引き留めることが可能な光コードの端末構造を得ることができる。
【発明の効果】
【００２９】
本発明によれば、固定作業時に、抗張力体の位置ずれを防止し、抗張力体の破損を抑制可能な光コードの端末処理方法および光コードの端末構造を提供することができる。
【図面の簡単な説明】
【００３０】
【図１】光コード端末構造１の端末処理工程を示す図。
【図２】光コード端末構造１の端末処理工程を示す図。
【図３】光コード端末構造１にブーツを設けた状態を示す図。
【図４】光コード端末構造３０の端末処理工程を示す図。
【図５】光コード端末構造３０の端末処理工程を示す図。
【図６】雄ねじ部３１のネジ山３７を示す拡大断面図。
【図７】雄ねじ部３１の断面形状を示す図
【図８】光コード端末構造４０の端末処理工程を示す図。
【図９】光コード端末構造４０の端末処理工程を示す図。
【図１０】ナット４３締め込み時の、舌部４５近傍の拡大図。
【図１１】雄ねじ部３１の断面図。
【図１２】光コード端末構造５０の端末処理工程を示す図。
【図１３】光コード端末構造５０の端末処理工程を示す図。
【図１４】光コード端末構造１ａを示す図。
【発明を実施するための形態】
【００３１】
以下、本発明の実施の形態にかかる光コード端末構造１の端末処理方法について説明する。図１、図２は、光コード端末構造１の処理工程を示す図である。光コード３は、内部に光ファイバ心線５が内蔵され、光ファイバ心線５の外周に、抗張力体７、さらにその外周に被覆部９が形成される。
【００３２】
抗張力体７は、例えば、抗張力繊維である。光コード３の端部は、予め、被覆部９が剥離されて、内部の抗張力体７および光ファイバ心線５が引き出される。光ファイバ心線５は、本固定部材であるねじ部材１９に挿通される。すなわち、ねじ部材１９には、孔２１が形成され、孔２１に光ファイバ心線５が挿通される。さらに、光ファイバ心線５および抗張力体７は、仮固定部材である固定リング１７に挿通される。すなわち、光コード３の端部側から、固定リング１７、ねじ部材１９が順に挿通されている。
【００３３】
光ファイバ心線５の端部には、あらかじめ心線保持部材であるフェルール１１が設けられる。すなわち、フェルール１１の内部に光ファイバ心線５が挿通されて固定される。フェルール１１は、さらに光コネクタのハウジング１３に固定される。フェルール１１の端面は、ハウジング１３の一方の側に露出し、他のコネクタ等と接続可能である。
【００３４】
ハウジング１３の後部（フェルール１１の露出面側とは逆側）には、抗張力体固定部であるラッチ１５が形成される。ラッチ１５は、中心部に空間を有し、中心方向およびこれと逆方向（以下、径方向とする）に対して弾性変形可能である。なお、ラッチ１５の中心部には、光ファイバ心線５が挿通される。また、ラッチ１５は、少なくとも一対形成される。複数のラッチ１５の互いに対向する内面側には、雌ねじ２３が設けられる。
【００３５】
図１（ａ）に示すように、フェルール１１をハウジング１３に固定した状態で、抗張力体７が、ねじ部材１９の外周を通って、固定リング１７の内部に通される。抗張力体７は、固定リング１７の前方（フェルール１１の露出面方向）であって、ラッチ１５の外方に引き出される。
【００３６】
この状態から、図１（ｂ）に示すように、固定リング１７を後方からラッチ１５に嵌め込む（図中矢印Ａ方向）。ラッチ１５は、固定リング１７の挿入時には中心方向に弾性変形してラッチ１５間隔を狭め、固定リング１７が完全に嵌ると、元の状態に戻る。ラッチ１５には、外周方向に爪が形成されるため、固定リング１７は、ラッチ１５に嵌った状態で保持される。この際、ラッチ１５の外周面と固定リング１７の内周面との間には、わずかに隙間が形成され、この隙間に抗張力体７が配置される。したがって、抗張力体７が、ラッチ１５と固定リング１７との間に挟みこまれて仮固定される。
【００３７】
次に、図２（ａ）に示すように、ねじ部材１９をラッチ１５の内周面に形成された雌ねじ２３に螺合させて締めこむ（図中矢印Ｂ方向）。固定リング１７が嵌められた状態のラッチ１５の内径は、ねじ部材１９のねじ径よりもわずかに狭い。したがって、ねじ部材１９を締めこむことで、ラッチ１５は外方に押し広げられる。このため、固定リング１７とラッチ１５との間に挟みこまれた抗張力体７が仮固定状態よりも強固に挟み込まれて固定される。すなわち、抗張力体７を確実に引き留めることができる。
【００３８】
ここで、抗張力体７の引き留め後、ねじ部材１９の端部から露出する光ファイバ心線５は、被覆部９により被覆されている部分までの範囲で、容易に屈曲する。光ファイバ心線５は、所定以上の曲率で曲げられると、伝送損失の増加や、破損の要因となる。
【００３９】
図２（ｂ）は、ねじ部材１９近傍の拡大図である。本発明では、図２（ｂ）に示すように、ねじ部材１９の内部の孔２１が、ハウジング１３側から後方に向かって、内径が徐々に大きくなるように、所定の曲率で形成される。したがって、光ファイバ心線５に曲げ力が付与された場合でも、光ファイバ心線５がねじ部材１９の孔２１の内面に沿って曲がるため、一部に曲げが集中することがない。したがって、例えば、ねじ部材１９の縁部において、光ファイバ心線が許容範囲を超える曲率で曲げられることを防止することができる。
【００４０】
なお、図３に示すように、光ファイバ心線５を確実に保護するためには、ブーツ８等を被せることが望ましい。
【００４１】
本実施の形態によれば、固定リング１７をラッチ１５に嵌めることで、容易に抗張力体７を仮固定することができる。また、その後、ねじ部材１９をラッチ１５の内面にねじ込むことで、ラッチ１５を押し開き、抗張力体７を確実に固定することができる。この際、抗張力体７が、固定リング１７によって仮固定されているため、ねじ部材１９による本固定作業時に抗張力体７がずれることがない。したがって、作業性に優れる。
【００４２】
また、抗張力体７は、固定リング１７とラッチ１５との間に挟みこまれる。また、固定リング１７の内面およびラッチ１５の外周面には、ねじ山などの凹凸がない。また、仮固定作業時および本固定作業時のいずれにおいても、抗張力体７がナットなどによって擦り付けられることがない。したがって、抗張力体７がねじ山などによって破損することがない。
【００４３】
また、ねじ部材１９の孔２１の内径を、ハウジング１３側から徐々に径が大きくなるように、断面において所定の曲率で形成することで、に光ファイバ心線５が、所定以上の曲率で曲げられることを防止することができる。
【００４４】
次に、第２の実施の形態について説明する。図４、図５は、光コード端末構造３０の端末処理工程を示す図である。なお、以下の説明において、光コード端末構造１と同様の構成については、図１等と同一の符号を付し、重複する説明を省略する。光コード端末構造３０は、光コード端末構造１と略同様であるが、仮固定部材および本固定部材が異なる。
【００４５】
図４（ａ）に示すように、被覆部９から露出する光ファイバ心線５および抗張力体７は、フェルール１１側から順に、ナット３３、かしめ部材３５に挿通される。また、ハウジング１３の後部には、光ファイバ心線５が貫通する雄ねじ部３１が形成される。雄ねじ部３１は、外周面にねじ山が形成され、ナット３３と螺合することができる。なお、ハウジング１３に形成された光ファイバ心線５の貫通孔は、後方に向かって、内径が徐々に大きくなるように、所定の曲率で形成される。このようにすることで、前述したように、光ファイバ心線５に曲げ力が付与された場合でも、光ファイバ心線５が貫通孔の内面に沿って曲がるため、一部に曲げが集中することがない。したがって、例えば、ハウジング１３の縁部において、光ファイバ心線が許容範囲を超える曲率で曲げられることを防止することができる。
【００４６】
この状態から、図４（ｂ）に示すように、仮固定部材であるナット３３と雄ねじ部３１の間に、抗張力体７を挟み込んだ状態で、ナット３３を雄ねじ部３１に締めこむ（図中矢印Ｅ方向）。したがって、ナット３３と雄ねじ部３１との隙間に挟み込まれた抗張力体７のずれが防止される。なお、ナット３３と雄ねじ部３１とは、やや緩めに螺合する。
【００４７】
ここで、仮固定時における、抗張力体７のずれ止め効果をより確実に得るためには、ねじ山３７の凸形状をハウジング１３側に向けて配置することが望ましい。図６は、ねじ山３７を示す拡大図であり、図４（ａ）のＤ部拡大図である。抗張力体７は、ハウジング１３の後方（図中左側）から、ハウジング１３側に向けて配置される。したがって、ねじ山３７の凸部の先端を、断面において、ハウジング１３方向に向けて形成することで、抗張力体７が、ハウジング１３の後方にずれることをより確実に防止することができる。なお、ねじ山３７の凸部の先端を、ハウジング１３方向に向けて形成するとは、ねじ山３７の頂部の位置を、ねじ山３７の基部の中心位置よりも、ハウジング１３側にずらして形成することをいう。
【００４８】
次に、図５（ａ）に示すように、本固定部材であるかしめ部材３５を、雄ねじ部３１に挿入する（図中矢印Ｆ方向）。すなわち、かしめ部材３５は、ナット３３の後方に嵌められる。なお、かしめ部材３５の内径は、雄ねじ部３１の外径よりも十分に大きい。したがって、抗張力体７を挟み込んだ状態でも、容易に、かしめ部材３５を雄ねじ部３１に嵌めることができる。
【００４９】
次に、図５（ｂ）に示すように、かしめ部材３５を雄ねじ部３１の外周に対して専用工具等を用いてかしめる（図中矢印Ｇ方向）。このようにすることで、かしめ部材３５と雄ねじ部３１との間に、抗張力体７が挟み込まれて、確実に抗張力体７を引き留めることができる。ここで、抗張力体７を、雄ねじ部３１のねじ山３７の頂部に強く押し付けると、ねじ山３７によって、抗張力体７が損傷する恐れがある。したがって、雄ねじ部３１の外周面の一部に、切欠き部を形成しても良い。
【００５０】
図７は、図５（ｂ）のＨ−Ｈ線断面図である。例えば、図７（ａ）に示すように、雄ねじ部３１の外周面に、切欠き部３９ａを形成しても良い。切欠き部３９ａには、平端部が形成される。すなわち、切欠き部３９ａにおいては、ねじ山が切除された部位となる。したがって、かしめ部材３５と雄ねじ部３１との間で抗張力体７を挟み込む際、抗張力体７を、切欠き部３９ａの位置に配置しておけば、かしめ部材３５をかしめた際に、抗張力体７が、かしめ部材３５とねじ山との間に挟まれることがない。したがって、抗張力体７の破断等を防止することができる。
【００５１】
なお、切欠き部の形状は、図示した例に限られない。例えば、図７（ｂ）に示すように、溝状に切欠き部３９ｂを形成しても良い。いずれにしても、切欠き部においては、ねじ山が切除され、平坦部が形成される。
【００５２】
なお、切欠き部３９ａ、３９ｂは、図示したように、対向する位置に一対形成してもよく、一箇所であってもよい。また、さらに複数箇所に配置しても良い。また、切欠き部３９ａ、３９ｂの表面は、ねじ山が形成されなければ、大きさは問わない。また、平端部の表面を粗面化しておくことで、抗張力体７のずれをより確実に防止することができる。
【００５３】
以上、第２の実施形態によれば、第１の実施の形態と同様に、まず、仮固定によって抗張力体７のずれを防止した状態で、本固定を行うため、本固定時に、抗張力体７がずれることがなく、確実に抗張力体７を引き留めることができる。また、ねじ山の凸形状を、ハウジング側に向けることで、仮固定時に、抗張力体７がずれることを防止することができる。また、切欠き部３９ａ、３９ｂを形成することで、抗張力体７が、ねじ山に押し付けられて破断することがない。
【００５４】
次に、第３の実施の形態について説明する。図８、図９は、光コード端末構造４０の端末処理工程を示す図である。光コード端末構造４０は、光コード端末構造３０等と略同様であるが、仮固定部材および本固定部材が異なる。
【００５５】
図８（ａ）に示すように、被覆部９から露出する光ファイバ心線５および抗張力体７は、フェルール１１側から順に、樹脂ナット４１、ナット４３に挿通される。また、ハウジング１３の後部には、光ファイバ心線５が貫通する雄ねじ部３１が形成される。雄ねじ部３１は、外周面にねじ山が形成され、樹脂ナット４１およびナット４３と螺合することができる。
【００５６】
樹脂ナット４１は、樹脂製のナットであり、一方の側に舌部４５を有する。舌部４５は、樹脂ナット４１のねじ部よりもわずかに外方に形成され、樹脂ナット４１の軸方向に向けて突出する。舌部４５は、先端に行くほど厚みが薄くなるようにテーパ状に形成される。すなわち、舌部４５は、樹脂ナット４１の一方の側に形成される、軸方向に向けた薄い突出部である。なお、樹脂ナット４１は、舌部４５が、ナット４３方向に来るように配置される。
【００５７】
この状態から、図８（ｂ）に示すように、仮固定部材である樹脂ナット４１と雄ねじ部３１の間に、抗張力体７を挟み込んだ状態で、樹脂ナット４１を雄ねじ部３１に締めこむ（図中矢印Ｉ方向）。したがって、樹脂ナット４１と雄ねじ部３１との隙間に挟み込まれた抗張力体７のずれが防止される。なお、樹脂ナット４１と雄ねじ部３１とは、やや緩めに螺合する。
【００５８】
次に、図９（ａ）に示すように、本固定部材であるナット４３を、雄ねじ部３１に螺合する（図中矢印Ｊ方向）。すなわち、ナット４３は、樹脂ナット４１の後方で雄ねじ部３１に螺合する。なお、ナット４３も、樹脂ナット４１と同様に、雄ねじ部３１にやや緩めに螺合する。この際、抗張力体７は、樹脂ナット４１の舌部４５と雄ねじ部３１との間に配置され、ナット４３は、舌部４５の外周から雄ねじ部３１に螺合する。
【００５９】
図１０は、図９のＫ部拡大図である。図１０（ａ）に示すように、仮固定状態では、樹脂ナット４１と雄ねじ部３１との間に、抗張力体７が挟み込まれて仮固定される。この際、樹脂ナット４１は、雄ねじ部３１に対して緩く螺合するため、抗張力体７がねじ山によって擦り切れることがない。この状態においては、舌部４５は、抗張力体７の外周に位置する。
【００６０】
次に、図１０（ｂ）に示すように、ナット４３を舌部４５の外周から雄ねじ部３１に螺合させることで、舌部４５は、ナット４３と雄ねじ部３１の螺合に応じて変形する。すなわち、舌部４５は、樹脂製であり、容易に潰れるため、ナット４３のねじ形状と雄ねじ部３１のねじ形状との隙間で潰れる。この際、抗張力体７は、舌部４５と雄ねじ部３１との間に配置される。したがって、ナット４３が直接抗張力体７と接触し、ナット４３のねじ山で抗張力体を擦り切ることがない。
【００６１】
なお、ナット４３が、確実に舌部４５とともに雄ねじ部３１に螺合するように、舌部４５は、先端が薄く形成される。さらに、ナット４３の端部（樹脂ナット４１側）の内径を拡径しておくことで、より確実に、ナット４３によって、舌部４５を外周から押しつぶすように、雄ねじ部３１に螺合させることができる。
【００６２】
なお、舌部４５は、全周に渡って形成しても良く、周方向の一部に形成しても良い。この場合、前述したように、雄ねじ部３１の外周に切欠き部を形成しても良い。例えば、図１１（ａ）に示すように、雄ねじ部３１の外周に、切欠き部３９ｂを形成しておき、切欠き部３９ｂ内に抗張力体７を配置する。この状態で、舌部４５を切欠き部３９ｂを塞ぐように配置しておく。
【００６３】
この状態から、図１１（ｂ）に示すように、ナット４３を舌部４５の外周から閉めこむことで、舌部４５は、切欠き部３９ｂ内に押し付けられる。したがって、内部の抗張力体７を確実に固定することができる。
【００６４】
第３の実施形態によれば、第１の実施の形態等と同様に、まず、仮固定によって抗張力体７のずれを防止した状態で、本固定を行うため、本固定時に、抗張力体７がずれることがなく、確実に抗張力体７を引き留めることができる。また、樹脂ナット４１に舌部４５が形成されるため、舌部４５を押しつぶすことで、ナット４３と雄ねじ部３１との間に、抗張力体７を確実に挟みこんで固定することができる。この際、舌部４５によって、ナット４３のねじ山が抗張力体と擦れることがないため、ナット４３の締め込み時に、抗張力体７が擦り切れることがない。
【００６５】
また、雄ねじ部３１に切欠き部を形成し、切欠き部を覆うように舌部４５を配置することで、舌部４５が、切欠き部内に押し込まれて、内部の抗張力体７を確実に固定することができる。なお、この状態も、抗張力体７は、ナット４３および舌部４５と、雄ねじ部３１（の切欠き部３９ｂ）との間で固定されるものとする。
【００６６】
次に、第４の実施の形態について説明する。図１２、図１３は、光コード端末構造５０の端末処理工程を示す図である。光コード端末構造５０は、光コード端末構造４０等と略同様であるが、仮固定部材が異なる。
【００６７】
図１２（ａ）に示すように、被覆部９から露出する光ファイバ心線５および抗張力体７は、フェルール１１側から順に、樹脂リング５１、ナット４３に挿通される。また、ハウジング１３の後部には、光ファイバ心線５が貫通する雄ねじ部３１が形成される。雄ねじ部３１は、外周面にねじ山が形成され、ナット４３と螺合することができる。
【００６８】
樹脂リング５１は、樹脂製のリング状部材である。すなわち、樹脂リング５１の内面には、ねじ山等は形成されない。樹脂リング５１の内径は、雄ねじ部３１の外径よりもわずかに大きい。したがって、樹脂リング５１は雄ねじ部３１に挿入することができるとともに、樹脂リング５１と雄ねじ部３１との間に隙間が形成される。樹脂リング５１は、先端に行くほど外径が小さくなるようにテーパ状に形成される。なお、樹脂リング５１は、小径部側が、ナット４３方向に来るように配置される。
【００６９】
この状態から、図１２（ｂ）に示すように、仮固定部材である樹脂リング５１と雄ねじ部３１の間に、抗張力体７を挟み込んだ状態で、樹脂リング５１を雄ねじ部３１に嵌めこむ（図中矢印Ｌ方向）。したがって、樹脂リング５１と雄ねじ部３１との隙間に挟み込まれた抗張力体７のずれが防止される。なお、樹脂リング５１と雄ねじ部３１との間には、隙間が形成されるため、抗張力体７は、ずれが防止される程度に仮固定される。
【００７０】
次に、図１３に示すように、本固定部材であるナット４３を、雄ねじ部３１に螺合する（図中矢印Ｍ方向）。すなわち、ナット４３は、樹脂リング５１の後方で雄ねじ部３１に螺合する。この際、ナット４３は、樹脂リング５１の外周から雄ねじ部３１に螺合する。すなわち、前述した、舌部４５と同様に、ナット４３は、樹脂リング５１を押しつぶしながら樹脂リング５１の一部と抗張力体７とを挟み込むように、雄ねじ部３１にねじ込まれる。したがって、樹脂リング５１がねじ山形状に変形しながら、ナット４３が雄ねじ部３１に螺合し、抗張力体７を確実に固定することができる。なお、雄ねじ部３１には、前述した切欠き部を形成しても良い。
【００７１】
第４の実施形態によれば、第１の実施の形態等と同様に、まず、仮固定によって抗張力体７のずれを防止した状態で、本固定を行うため、本固定時に、抗張力体７がずれることがなく、確実に抗張力体７を引き留めることができる。また、樹脂リング５１の一部を押しつぶすことで、ナット４３と雄ねじ部３１との間に、確実に抗張力体７を挟みこんで固定することができる。この際、樹脂リング５１によって、ナット４３のねじ山が抗張力体と擦れることがないため、ナット４３の締め込み時に、抗張力体７が擦り切れることがない。
【００７２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７３】
例えば、以上の説明では、心線保持部材であるフェルール１１に光ファイバ心線５が直接固定されている例を示したが、本発明は、これに限られない。例えば、図１４に示す光コード端末構造１ａのように、心線保持部材としては、現場付けコネクタにおけるメカニカルスプライス１１ａを用いてもよい。この場合には、メカニカルスプライス１１ａを保持するハウジング１３に対して、抗張力体固定部を形成すればよい。
【００７４】
なお、各実施形態に示した構成は、互いに組み合わせることもできる。また、さらに他の構成を付加しても良い。また、コネクタ構造等は、他の構造であっても良い。
【符号の説明】
【００７５】
１、１ａ、３０、４０、５０………光コード端末構造
３………光コード
５………光ファイバ心線
７………抗張力体
８………ブーツ
９………被覆部
１１………フェルール
１１ａ………メカニカルスプライス
１３………ハウジング
１５………ラッチ
１７………固定リング
１９………ねじ部材
２１………孔
２３………雌ねじ
３１………雄ねじ部
３３………ナット
３５………かしめ部材
３７………ねじ山
３９ａ、３９ｂ………切欠き部
４１………樹脂ナット
４３………ナット
４５………舌部
５１………樹脂リング
【図１】
0005579226.tif 000002
【図２】
0005579226.tif 000003
【図３】
0005579226.tif 000004
【図４】
0005579226.tif 000005
【図５】
0005579226.tif 000006
【図６】
0005579226.tif 000007
【図７】
0005579226.tif 000008
【図８】
0005579226.tif 000009
【図９】
0005579226.tif 000010
【図１０】
0005579226.tif 000011
【図１１】
0005579226.tif 000012
【図１２】
0005579226.tif 000013
【図１３】
0005579226.tif 000014
【図１４】
0005579226.tif 000015